(57)【要約】      （修正有）【課題】持ち運び性に適した外形、重量にしたうえで、不特定の外部の電気機器への供給可能な電力量を可及的に増大可能とするポータブルバッテリならびにポータブルバッテリユニットを提供する。【解決手段】ポータブルバッテリ１は、持ち運びに適した外形、重量に適合する容量に設定されたバッテリ本体１１を備えるように構成している。さらに、このバッテリ本体１１の容量が不足することを補うために、ポータブルバッテリ１に、それとは別体でかつ持ち運びに適した外形、重量のサブポータブルバッテリ２を接続可能にすることによって、ポータブルバッテリ１に接続される電気機器５，６への電力供給を可及的に長くできるようにしている。【選択図】図１
0003204460.tif 000002
【実用新案登録請求の範囲】
【請求項１】
不特定の外部の電気機器への電力供給を可能としかつ持ち運びに適した外形、重量に形成されたポータブルバッテリであって、
持ち運びに適した外形、重量に適合する容量に設定されたバッテリ本体と、
このバッテリ本体への充電を行うための外部電源が接続可能とされる充電コネクタと、
前記電気機器が接続可能とされる出力端子と、
別体のサブポータブルバッテリが接続可能とされる中継コネクタと、
前記充電コネクタに接続される外部電源から前記バッテリ本体への充電処理ならびに前記バッテリ本体から前記出力端子に接続される電気機器への給電処理を制御するための制御部と、
前記バッテリ本体または前記サブポータブルバッテリに蓄電された直流電圧を前記出力端子に接続される電気機器に対応した交流電圧に変換して出力するためのインバータと、
前記中継コネクタに接続される前記サブポータブルバッテリから前記インバータへの給電経路を確保するためのスイッチと、を備えていることを特徴とするポータブルバッテリ。
【請求項２】
請求項１に記載のポータブルバッテリと、前記ポータブルバッテリに接続可能とされかつ持ち運びに適した外形、重量に形成されたサブポータブルバッテリとを含み、
前記サブポータブルバッテリは、
持ち運びに適した外形、重量に適合する容量に設定されたバッテリ本体と、
このバッテリ本体への充電を行うための外部電源が接続可能とされる充電コネクタと、
前記ポータブルバッテリの充電コネクタに接続可能とされる接続プラグと、
前記充電コネクタに接続される外部電源から前記バッテリ本体への充電処理を制御するための制御部とを備え、
前記ポータブルバッテリの制御部は、前記接続プラグが前記中継コネクタに接続されかつ前記スイッチで前記サブポータブルバッテリから前記インバータへの給電経路を確保した場合に、当該ポータブルバッテリのバッテリ本体からそれに接続される電気機器への給電処理を停止して、前記サブポータブルバッテリのバッテリ本体から前記電気機器への給電処理を行う、ことを特徴とするポータブルバッテリユニット。
【考案の詳細な説明】
【技術分野】
【０００１】
本考案は、外部の電気機器への電力供給を可能としかつ持ち運びに適した外形、重量に形成されたポータブルバッテリに関する。
【０００２】
また、本考案は、ポータブルバッテリとそれに接続可能なサブポータブルバッテリとを含むポータブルバッテリユニットに関する。
【背景技術】
【０００３】
従来、外部の電気機器への電力供給を可能としかつ移動を可能とする蓄電池として、例えば特許文献１〜４に示されているものがある。
【０００４】
特許文献１には、ケース内に電動工具用のバッテリを複数個取り付けることができる電源装置が記載されている。この電源装置は、外形や重量が大きくなっている関係より、移動させることは可能であるものの、持ち運びするには不便であると言える。
【０００５】
また、特許文献２に示されている電源システムおよび特許文献３に示されている電源装置は、持ち運び可能な重量とサイズに製作されていて、ケースに持ち手部、ハンドル、取手等が設けられた構成になっている。これら特許文献２，３に備える蓄電池の蓄電容量は、前記重量とサイズが制限される関係より、大きくするにも限界がある。
【０００６】
さらに、特許文献４には、持ち運びが容易な外形、重量でかつ取手が設けられたトランク型のケースにソーラーパネルを設けることが記載されている。この特許文献４でも、その外径、重量が制限される関係より、前記バッテリの容量を大きくできないが、このバッテリに前記ソーラーパネルで発電した電力を充電できるようにしている。
【０００７】
このような特許文献４の場合、別体の補助電源を接続できるようにはなっていないので、前記バッテリの残容量が少なくなったときには、ソーラーパネルで前記バッテリを充電する必要があって、その間は前記ケースのコンセントに接続される電気機器に対して電力を供給することができない。これは、ソーラーパネルが太陽光を受ける場所に配置されていることを想定した場合に限られるものであって、そうでない場合には前記バッテリを充電できないので、前記電気機器に対する電力供給は不可能となる。
【０００８】
ところで、特許文献５には、電動リールに、ポータブルバッテリ本体をコネクタを介して一体的に取り付け可能にし、このポータブルバッテリ本体にさらにベースバッテリを接続コードを介して接続可能にすることが記載されている。
【０００９】
この特許文献５では、段落０００６に記載されているように、通常時に前記ベースバッテリからの電力によって前記電動リールを駆動することにより前記ポータブルバッテリ本体の電力消耗を抑えるようにする一方、魚が掛かったときや移動時等には、前記ベースバッテリを前記ポータブルバッテリ本体から取り外して、前記電動リールを前記ポータブルバッテリ本体の電力のみにより駆動することにより、前記電動リールを人間が手で持って動かし易くすることを実現している。
【００１０】
このような電動リールの操作性を考慮して、前記ポータブルバッテリ本体を前記電動リールに一体になるようにコネクタでもって直接的に接続する形態を採用している。
【先行技術文献】
【特許文献】
【００１１】
【特許文献１】特開２０１５−３９２９４号公報
【特許文献２】特開２０１０−２８４０６０号公報
【特許文献３】特開２０１０−１２３２８１号公報
【特許文献４】特開２０１０−２８０２７号公報
【特許文献５】特開２００７−１２９９４３号公報
【考案の概要】
【考案が解決しようとする課題】
【００１２】
上記特許文献５では、前記ポータブルバッテリ本体の接続対象が電動リールのみに限定されるようになっていて、不特定の外部の電気機器に接続できるようになっていない。ここに改良の余地がある。
【００１３】
このような事情に鑑み、本考案は、持ち運び性に適した外形、重量にしたうえで、不特定の外部の電気機器への供給可能な電力量を可及的に増大可能とするポータブルバッテリ、ならびにポータブルバッテリユニットの提供を目的としている。
【課題を解決するための手段】
【００１４】
本考案は、不特定の外部の電気機器への電力供給を可能としかつ持ち運びに適した外形、重量に形成されたポータブルバッテリであって、持ち運びに適した外形、重量に適合する容量に設定されたバッテリ本体と、このバッテリ本体への充電を行うための外部電源が接続可能とされる充電コネクタと、前記電気機器が接続可能とされる出力端子と、別体のサブポータブルバッテリが接続可能とされる中継コネクタと、前記充電コネクタに接続される外部電源から前記バッテリ本体への充電処理ならびに前記バッテリ本体から前記出力端子に接続される電気機器への給電処理を制御するための制御部と、前記バッテリ本体または前記サブポータブルバッテリに蓄電された直流電圧を前記出力端子に接続される電気機器に対応した交流電圧に変換して出力するためのインバータと、前記中継コネクタに接続される前記サブポータブルバッテリから前記インバータへの給電経路を確保するためのスイッチと、を備えていることを特徴としている。
【００１５】
ここで、本考案に係るポータブルバッテリを持ち運びに適した外形、重量に適合するように前記バッテリ本体の容量を設定すると、当該ポータブルバッテリに接続される外部の電気機器の使用可能時間を長くするにも限界がある。しかしながら、本考案に係るポータブルバッテリは、前記別体のサブポータブルバッテリを接続できるように構成されているから、このサブポータブルバッテリを使用することによって当該ポータブルバッテリに接続されている電気機器の使用可能時間を延長できるようになる。
【００１６】
このように、持ち運びに適していてかつ不特定の外部の電気機器への電力供給を可及的に長くすることが可能になるポータブルバッテリを提供できるようになる。
【００１７】
また、本考案に係るポータブルバッテリユニットは、上記ポータブルバッテリと、前記ポータブルバッテリに接続可能とされかつ持ち運びに適した外形、重量に形成されたサブポータブルバッテリとを含む、構成にされている。
【００１８】
そして、前記サブポータブルバッテリは、持ち運びに適した外形、重量に適合する容量に設定されたバッテリ本体と、このバッテリ本体への充電を行うための外部電源が接続可能とされる充電コネクタと、前記ポータブルバッテリの充電コネクタに接続可能とされる接続プラグと、前記充電コネクタに接続される外部電源から前記バッテリ本体への充電処理を制御するための制御部とを備える、構成にしている。
【００１９】
さらに、前記ポータブルバッテリの制御部は、前記接続プラグが前記中継コネクタに接続されかつ前記スイッチで前記サブポータブルバッテリから前記インバータへの給電経路を確保した場合に、当該ポータブルバッテリのバッテリ本体からそれに接続される電気機器への給電処理を停止して、前記サブポータブルバッテリのバッテリ本体から前記電気機器への給電処理を行う、構成にしている。
【００２０】
この構成では、例えばポータブルバッテリからそれに接続した電気機器に電力供給を行っている状況において、当該ポータブルバッテリのバッテリ本体の残容量が所定値に到達した場合に、前記サブポータブルバッテリを接続プラグで前記ポータブルバッテリの中継コネクタに接続して、前記ポータブルバッテリのスイッチを操作するだけの簡単な作業でもって、前記ポータブルバッテリに接続されている電気機器への給電処理を継続することが可能になる。
【考案の効果】
【００２１】
本考案に係るポータブルバッテリによれば、持ち運び性に適した外形、重量にしたうえで、不特定の外部の電気機器への供給可能な電力量を可及的に増大することが可能になる。これにより、電源が存在していない場所に、照明やノート型パーソナルコンピュータ等の電気機器を持ち込んで使用することが可能になる。
【００２２】
また、本考案に係るポータブルバッテリユニットは、持ち運び性に適した外形、重量のポータブルバッテリから外部の電気機器に電力供給を行っている状況において、当該ポータブルバッテリのバッテリ本体の残容量が所定値に到達した場合に、当該ポータブルバッテリに持ち運び性に適した外形、重量のサブポータブルバッテリを接続することによって、前記ポータブルバッテリに接続されている電気機器に対する給電処理を比較的長時間にわたって継続できるようになる。これにより、電源が存在していない場所に、照明やノート型パーソナルコンピュータ等の電気機器を持ち込んで比較的長時間にわたって使用することが可能になる。
【図面の簡単な説明】
【００２３】
【図１】本考案に係るポータブルバッテリユニットの一実施形態の概略構成を示す図である。
【図２】図１のポータブルバッテリにサブポータブルバッテリを接続していない状態の外観を示す図である。
【図３】図２においてポータブルバッテリにサブポータブルバッテリを接続した状態の外観を示す図である。
【図４】図２においてポータブルバッテリおよびサブポータブルバッテリの各蓋を閉じた状態の外観を示す図である。
【考案を実施するための形態】
【００２４】
以下、本考案を実施するための最良の実施形態について添付図面を参照して詳細に説明する。
【００２５】
図１から図４に、本考案の一実施形態を示している。図中、１はポータブルバッテリ、２はサブポータブルバッテリを示している。このポータブルバッテリ１とサブポータブルバッテリ２とでポータブルバッテリユニットを構成している。
【００２６】
このポータブルバッテリ１およびサブポータブルバッテリ２は、共に、胴体１ａ，２ａの上面に蓋１ｂ，２ｂがヒンジ（符号省略）を介して開閉可能に連結された構成になっている。胴体１ａ，２ａの手前（反ヒンジ）側の幅広な側面には、持ち運びを容易とするための持ち手１ｃ，２ｃが取り付けられている。
【００２７】
両方の胴体１ａ，２ａおよび蓋１ｂ，２ｂは、落下したときでも破損しにくいような耐衝撃性ならびに耐破損性に優れた素材ならびに構造に形成されている。
【００２８】
また、ポータブルバッテリ１およびサブポータブルバッテリ２の蓋１ｂ，２ｂを閉じた状態に保持するためのロック手段として、図２から図４に示すように、胴体１ａ，２ａに係止部１ｄ，２ｄが、また、蓋１ｂ，２ｂに前記係止部１ｄ，２ｄが係止される被係止部１ｅ，２ｅがそれぞれ設けられている。このロック手段としての係止部１ｄ，２ｄと被係止部１ｅ，２ｅは、本考案の特徴とは直接関係のない部分であって、公知の構造を採用できるので、ここでの詳細な説明は割愛する。
【００２９】
このようなポータブルバッテリ１およびサブポータブルバッテリ２は、共に、一般的なトランク型手提げケースの外形に近似した長方体形状に形成されていて、標準的な人間にとって持ち運びに適した外形、重量に設定されている。
【００３０】
この持ち運びに適した外形、重量の目安としては、標準的な人間が手で持って数分〜数十分程度移動することが可能になる程度のもののこととする。具体的には、以下で記載する事項を勘案し、前記持ち運びに適した外形については、例えば横４００〜６００ｍｍ、縦３００〜５００ｍｍ、厚み１５０〜３００ｍｍとすることができ、また、前記持ち運びに適した重量については、例えば７〜２５ｋｇとすることができる。
【００３１】
まず、ポータブルバッテリ１について詳細に説明する。ポータブルバッテリ１の胴体１ａの内部には、バッテリ本体１１、制御部１２、インバータ１３等が設けられている。
【００３２】
バッテリ本体１１は、充電と放電とが可能な二次電池、例えばリン酸鉄リチウムイオン電池、またはリチウムイオン電池等とされる。
【００３３】
このバッテリ本体１１の容量は、持ち運びに適したポータブルバッテリ１の外形、重量に適合するように、かつ、ポータブルバッテリ１の制御部１２によるサブポータブルバッテリ２から受け入れる電力量を考慮して適宜に設定される。
【００３４】
前記外部の電気機器５，６としては、例えばスマートフォンと呼ばれる多機能携帯電話機、ノート型パーソナルコンピュータ、液晶型テレビジョン、照明器具（ＬＥＤ１０Ｗ）等が挙げられるが、その他にもいろいろ考えられる。
【００３５】
ちなみに、この実施形態のポータブルバッテリ１はシステム電圧１２Ｖとされ、バッテリ本体１１はＤＣ３．２Ｖ−１０Ａ、２５６Ｗｈに設定される。この場合、ポータブルバッテリ１の外形は横４２２．５ｃｍ、縦３４０ｍｍ、厚み１７１ｍｍとされ、重量は７．２ｋｇとされる。
【００３６】
ちなみに、この仕様のポータブルバッテリ１の使用の目安としては、前記多機能携帯電話機の満充電可能時間が３６時間、前記ノート型パーソナルコンピュータの使用可能時間が１．２時間、前記３２型液晶テレビジョンの使用可能時間が２．７時間、前記照明器具（ＬＥＤ１０Ｗ）の使用可能時間が１７．６時間になる。
【００３７】
制御部１２は、バッテリ本体１１への充電処理、バッテリ本体１１からの給電処理、バッテリ本体１１の電圧や温度を監視する処理等を少なくとも制御するものである。
【００３８】
インバータ１３は、バッテリ本体１１またはサブポータブルバッテリ２のバッテリ本体２１から放電される直流電圧を第１、第２出力端子１５，１６に接続される電気機器５，６に対応した交流電圧に変換して出力するものである。
【００３９】
また、胴体１ａの上面には、充電コネクタ１４、第１、第２出力端子１５，１６、中継コネクタ１７、表示部１８、スイッチ１９等が設けられている。
【００４０】
充電コネクタ１４は、家庭用交流電源３または太陽電池４等の外部電源が接続可能とされるものである。
【００４１】
第１、第２出力端子１５，１６は、外部の電気機器５，６が個別に接続可能とされるものである。なお、第１出力端子１５は、例えばＡＣ１００Ｖ、定格出力２４０Ｗｈのコンセントとされており、第２出力端子１６は、例えばＤＣ５Ｖ、定格出力２．１ＡのＵＳＢ端子とされている。
【００４２】
中継コネクタ１７は、サブポータブルバッテリ２が接続可能とされるものである。表示部１８は、例えば残容量等の情報を表示するものである。
【００４３】
スイッチ１９は、制御部１２を起動してバッテリ本体１１から第１、第２出力端子１５，１６への給電経路とバッテリ本体１１への充電経路とを確保するオンモードと、前記制御部１２による制御機能を休止するオフモードと、サブポータブルバッテリ２から第１、第２出力端子１５，１６への給電経路を確保する補助電源モードとを選択するために設けられている。
【００４４】
さらに、胴体１ａの上面には、過充電保護用のヒューズ３１および過放電保護用のヒューズ３２が設けられていて、簡単に取り替えできるようにメンテナンス性を高めるようになっている。また、胴体１ａの上面には、ポータブルバッテリ１の仕様や使用説明等を記載した表示シート３３が設けられている。
【００４５】
次に、サブポータブルバッテリ２について詳細に説明する。サブポータブルバッテリ２の胴体２ａの内部には、バッテリ本体２１、制御部２２等が設けられている。
【００４６】
バッテリ本体２１は、充電と放電とが可能な二次電池、例えばリン酸鉄リチウムイオン電池、またはリチウムイオンバッテリ等とされる。
【００４７】
制御部２２は、少なくともバッテリ本体２１への充電処理等を制御する。
【００４８】
そして、バッテリ本体２１の容量は、持ち運びに適したサブポータブルバッテリ２の外形、重量に適合するように、かつ、ポータブルバッテリ１の制御部１２によるサブポータブルバッテリ２から受け入れる電力量を考慮して適宜に設定される。
【００４９】
ちなみに、サブポータブルバッテリ２はシステム電圧１２Ｖとされ、バッテリ本体２１は、ＤＣ３．２Ｖ−１０Ａ、８５０Ｗｈに設定される。この場合のサブポータブルバッテリ２の外形は上記ポータブルバッテリ１と同等つまり横４２２．５ｃｍ、縦３４０ｍｍ、厚み１７１ｍｍとされるが、重量は１１ｋｇとなる。
【００５０】
なお、バッテリ本体２１は、ＤＣ３．２Ｖ−１０Ａ、１２８０Ｗｈ、またはＤＣ３．２Ｖ−１０Ａ、１７９２Ｗｈに設定することができる。この場合のサブポータブルバッテリ２の外形は横５８１ｃｍ、縦４６４ｍｍ、厚み２９８ｍｍとされ、上記ポータブルバッテリ１と同等にできるが、重量は共に２５ｋｇとなる。
【００５１】
但し、前記３種類の容量別のサブポータブルバッテリ２を用意しておけば、予め給電用途に応じて適したものを使用することが可能になるので、使い勝手が良くなる。
【００５２】
また、胴体２ａの上面には、充電コネクタ２３、表示部２４、接続プラグ２５等が設けられている。充電コネクタ２３は、家庭用交流電源３または太陽電池４等の外部電源が接続可能とされるものである。表示部２４は、例えば残容量等の情報を表示するものである。接続プラグ２５は、ポータブルバッテリ１の中継コネクタ１７に接続可能とされるものであって、蛇腹状の延長コードの自由端側に取り付けられている。
【００５３】
さらに、胴体２ａの上面には、過充電保護用のヒューズ４１および過放電保護用のヒューズ４２が設けられているとともに、サブポータブルバッテリ２の仕様や使用説明等を記載した表示シート４３が設けられている。
【００５４】
次に、上述したポータブルバッテリ１およびサブポータブルバッテリ２の使用例を説明する。
【００５５】
ポータブルバッテリ１およびサブポータブルバッテリ２の充電処理は、それらの充電コネクタ１４，２３に家庭用交流電源３または太陽電池４を適宜の接続コード３ａ，４ａを介して接続するだけでよい。
【００５６】
この状態では、ポータブルバッテリ１およびサブポータブルバッテリ２の各制御部１２，２２が、バッテリ本体１１，２１の容量が所定値に到達、つまり満充電状態になった場合には、そのことを表す警告情報を対応する表示部１８，２４に表示して、充電処理を終了するようにしている。
【００５７】
この充電処理中においては、各制御部１２，２２がそれぞれのバッテリ本体１１，２１が過充電にならないように保護する処理を行う。なお、ポータブルバッテリ１の制御部１２は、バッテリ本体１１の電圧や温度を監視する処理を行うようになっている。
【００５８】
一方、ポータブルバッテリ１からそれに接続される電気機器５，６への給電処理は、ポータブルバッテリ１の第１出力端子１５または第２出力端子１６に電気機器５，６を接続コード５ａ，６ａを介して接続し、スイッチ１９でオンモードを選択すればよい。
【００５９】
この状態では、ポータブルバッテリ１の制御部１２がバッテリ本体１１に蓄電している電力をインバータ１３に供給する給電処理を行う。
【００６０】
この給電処理中においては、ポータブルバッテリ１の制御部１２がバッテリ本体１１が過放電にならないように保護する過充電保護処理を行うとともに、バッテリ本体１１の電圧や温度を監視する監視処理を行う。
【００６１】
そして、前記過充電保護処理では、バッテリ本体１１の残容量が所定値以下に到達した場合に、制御部１２が給電処理を継続できなくなることを表す警告情報を表示部１８に表示するとともに、給電処理を停止するようにしている。
【００６２】
また、前記監視処理では、バッテリ本体１１の電圧や温度が予め設定される異常判定値に到達した場合に、制御部１２が電圧異常または温度異常を表す警告情報を表示部１８に表示するとともに、給電処理を停止するようにしている。
【００６３】
このような警告情報が表示された場合には、ポータブルバッテリ１にサブポータブルバッテリ２を接続することにより、サブポータブルバッテリ２のバッテリ本体２１からポータブルバッテリ１に接続している電気機器５，６に電力を供給できるようになる。
【００６４】
その際には、まず、サブポータブルバッテリ２接続プラグ２５をポータブルバッテリ１の中継コネクタ１７に接続し、ポータブルバッテリ１のスイッチ１９で補助電源モードを選択すればよい。
【００６５】
この状態では、ポータブルバッテリ１の制御部１２がサブポータブルバッテリ２のバッテリ本体２１に蓄電している電力をポータブルバッテリ１のインバータ１３に供給する給電処理を行う。
【００６６】
この給電処理中においては、ポータブルバッテリ１の制御部１２が、サブポータブルバッテリ２のバッテリ本体２１が過放電にならないように保護する過放電保護処理を行うとともに、バッテリ本体２１の電圧や温度を監視する監視処理を行う。
【００６７】
そして、前記過放電保護処理では、サブポータブルバッテリ２のバッテリ本体２１の残容量が所定値以下に到達した場合に、ポータブルバッテリ１の制御部１２が給電処理を継続できなくなることを表す警告情報をサブポータブルバッテリ２の表示部２４に表示するとともに、給電処理を停止するようにしている。
【００６８】
また、前記監視処理では、サブポータブルバッテリ２のバッテリ本体２１の電圧や温度が予め設定される異常判定値に到達した場合に、ポータブルバッテリ１の制御部１２が電圧異常または温度異常を表す警告情報をサブポータブルバッテリ２の制御部２２に伝達して、当該制御部２２が表示部２４に前記警告情報を表示するとともに、ポータブルバッテリ１の制御部１２が給電処理を停止するようにしている。
【００６９】
このように、ポータブルバッテリ１のバッテリ本体１１の残容量が所定値以下に到達した場合に、サブポータブルバッテリ２を利用することによって、ポータブルバッテリ１の電力が消費されることを防止するようにしているから、ポータブルバッテリ１のバッテリ本体１１の残容量が枯渇することを防止できるようになる。
【００７０】
以上説明したように本考案を適用した実施形態のポータブルバッテリ１によれば、比較的簡単に持ち運びできるので、室内ならびに室外の必要な場所まで持ち運んで、当該場所で外部の電気機器５，６に給電を行うことができる。
【００７１】
また、本考案を適用した実施形態のポータブルバッテリユニットによれば、比較的簡単に持ち運びできるポータブルバッテリ１から外部の電気機器５，６に電力供給を行っている状況において、当該ポータブルバッテリ１のバッテリ本体１１の残容量が所定値に到達した場合に、比較的簡単に持ち運びできるサブポータブルバッテリ２を接続プラグ２５で前記ポータブルバッテリ１の中継コネクタ１７に接続するとともに、ポータブルバッテリ１のスイッチ１９で補助電源モードを選択操作するだけの簡単な作業でもって、前記ポータブルバッテリ１に接続されている電気機器５，６への給電処理を継続することが可能になる。
【００７２】
このように、ポータブルバッテリ１にサブポータブルバッテリ２を接続することによって、ポータブルバッテリ１に接続されている電気機器５，６に対する給電処理を比較的長時間にわたって継続できるようにしているから、ポータブルバッテリ１およびサブポータブルバッテリ２の外形、重量を大型化する必要が無くなる。
【００７３】
なお、本考案は、上記実施形態のみに限定されるものではなく、実用新案登録請求の範囲内および当該範囲と均等の範囲内で適宜に変更することが可能である。
【００７４】
（１）上記実施形態では、ポータブルバッテリ１に２個の電気機器５，６を接続可能にした例を挙げているが、本考案はこれのみに限定されるものではなく、接続可能とする個数は任意である。
【００７５】
（２）上記実施形態では、サブポータブルバッテリ２を容量別に３種類用意する例を挙げているが、本考案はこれのみに限定されるものではなく、前記用意するサブポータブルバッテリ２の容量別の種類の数は任意である。
【産業上の利用可能性】
【００７６】
本考案は、外部の電気機器への電力供給を可能としかつ持ち運びに適した外形、重量に形成されたポータブルバッテリに好適に利用することが可能である。
【００７７】
また、本考案は、外部の電気機器への電力供給を可能としかつ持ち運びに適した外形、重量に形成されたポータブルバッテリと、それに接続可能とされかつ持ち運びに適した外形、重量に形成されたサブポータブルバッテリとを含むポータブルバッテリユニットに好適に利用することが可能である。
【符号の説明】
【００７８】
１    ポータブルバッテリ
１ａ  胴体
１ｂ  蓋
１ｃ  持ち手
１１  バッテリ本体
１２  制御部
１３  インバータ
１４  充電コネクタ
１５  第１出力端子
１６  第２出力端子
１７  中継コネクタ
１８  表示部
１９  スイッチ
２    サブポータブルバッテリ
２ａ  胴体
２ｂ  蓋
２ｃ  持ち手
２１  バッテリ本体
２２  制御部
２３  充電コネクタ
２４  表示部
２５  接続プラグ
３    家庭用交流電源
３ａ  接続コード
４    太陽電池
４ａ  接続コード
５，６    電気機器
５ａ，６ａ  接続コード
【図１】
0003204460.tif 000003
【図２】
0003204460.tif 000004
【図３】
0003204460.tif 000005
【図４】
0003204460.tif 000006